(57)【要約】【課題】  装着対象への連結の手間を軽減し、使い勝手を向上することが可能な幼児用ケープを提供する。【解決手段】  本発明の幼児用ケープは、幼児２００を覆うケープ本体２と、ケープ本体２を使用者１００又は乳母車１０２に連結する帯３を具備する。帯３はケープ本体２の上端部に設けられ、ケープ本体２から使用者１００又は乳母車１０２までの長さを調節可能である。【選択図】    図１
2006068251.tif 000002
【特許請求の範囲】
【請求項１】
幼児を覆うケープ本体と、前記ケープ本体を装着対象に連結する装着手段とを具備する幼児用ケープにおいて、前記装着手段として、前記ケープ本体から装着対象までの長さを調節可能な帯が、前記ケープ本体の上端部に設けられていることを特徴とする幼児用ケープ。
【請求項２】
前記ケープ本体の裏面下端側に、前記ケープ本体の両側端部に亘り、かつ上端側に向かって開口する袋が設けられていることを特徴とする請求項１に記載の幼児用ケープ。
【請求項３】
前記袋の縁には紐が通され、この紐の一部が外部に引き出され、引き出された前記紐には、引き出される前記紐の長さを調節する調節具が設けられていることを特徴とする請求項２に記載の幼児用ケープ。
【発明の詳細な説明】
【技術分野】
【０００１】
本発明は、寒さや雨風等から幼児を保護する幼児用ケープに関する。
【背景技術】
【０００２】
子守帯により抱っこ又はおんぶされた幼児、或いは乳母車に乗せられた幼児を覆い、寒さや雨風等から幼児を保護する幼児用ケープが知られている。このようなケープには、例えば、幼児を覆うケープ本体を、ケープ本体に取り付けられたクリップにて子守帯や乳母車等の装着対象に連結するものがある（例えば、特許文献１）。
【０００３】
【特許文献１】特開２００４−３０８４号公報
【発明の開示】
【発明が解決しようとする課題】
【０００４】
しかしながら、クリップを用いて装着対象に連結するケープにおいては、ケープ本体の複数箇所にクリップを配置し、これらのクリップを装着対象に一々連結する必要があるため、装着に手間取ることがある。例えば、子守帯により抱っこ又はおんぶされた幼児を覆う場合には、子守帯使用者が子守帯の装着前に予めケープ本体を子守帯に連結しておく必要があり、使い勝手が良いとは言い難い。
【０００５】
そこで、本発明は、装着対象への連結の手間を軽減し、使い勝手を向上することが可能な幼児用ケープを提供することを目的とする。
【課題を解決するための手段】
【０００６】
以下、本発明の幼児用ケープについて説明する。なお、本発明の理解を容易にするために添付図面の参照符号を括弧書きにて付記するが、それにより本発明が図示の形態に限定されるものではない。
【０００７】
本発明の幼児用ケープは、幼児（２００）を覆うケープ本体（２）と、ケープ本体（２）を装着対象（１００、１０２）に連結する装着手段とを具備する幼児用ケープにおいて、装着手段として、ケープ本体（２）から装着対象（１００、１０２）までの長さを調節可能な帯（３）が、ケープ本体（２）の上端部に設けられていることにより、上述した課題を解決する。
【０００８】
この発明によれば、ケープ本体の上端部に設けられた帯の長さを適宜に調節し、この帯を装着対象に引っ掛けるようにしてケープ本体を連結することができるので、装着対象へのケープ本体の連結に手間取ることがない。子守帯により抱っこ又はおんぶされた幼児を覆う場合には、子守帯使用者が幼児を抱っこ又はおんぶした状態で、装着手段としての帯を使用者の首や肩に回してケープ本体を連結し速やかに幼児を覆うことができるので使い勝手が良い。
【０００９】
本発明の一形態として、ケープ本体（２）の裏面下端側に、ケープ本体（２）の両側端部に亘り、かつ上端側に向かって開口する袋（２ａ）が設けられていてもよい。この形態によれば、ケープ本体の上端部に設けられた帯による装着対象への連結に加え、ケープ本体の下端側に設けられた袋を利用して装着対象への連結、或いは幼児の足部を包みこむこともできる。これにより、ケープ本体のズレ等が抑えられて防寒性等が高まるので、幼児の保護がより確かなものとなる。この形態において、袋（２ａ）の縁には紐（１０）が通され、この紐の一部が外部に引き出され、引き出された紐（１０）には、引き出される紐（１０）の長さを調節する調節具（１１）が設けられていてもよい。この場合、調節具にて引き出される紐の長さを調節することにより、袋の開口面積を広狭自在に調整することができる。
【発明の効果】
【００１０】
以上説明したように本発明の幼児用ケープによれば、ケープ本体を装着対象に連結する装着手段として、ケープ本体から装着対象までの長さを調節可能な帯がケープ本体の上端部に設けられているので、装着対象への連結の手間を軽減し、使い勝手を向上することが可能な幼児用ケープを提供することができる。
【発明を実施するための最良の形態】
【００１１】
図１は、本発明の幼児用ケープの使用形態の一例を示したものであり、使用者１００と対面した状態で子守帯１０１を介して抱っこされた幼児２００がケープ１にて覆われている。ケープ１は、図２〜図４にも示したように、ケープ本体２と、ケープ本体２から連結対象としての使用者１００までの長さを調節可能な帯３とを備えている。図２に示したように、ケープ本体２は、フリース地等の柔らかな素材で形成されたインナー３と、撥水加工等の処理がなされたアウター４と、を有している。図３に詳しく示したように、インナー３には、適宜数（図では６個）のホック５と、ファスナー６とが設けられている。一方、アウター４には、ホック５及びファスナー６に対応する位置にホック受け５ａとファスナー受け６ａとがそれぞれ設けられている。これにより、インナー３をアウター４に着脱自在に取り付けることができる。図２にも示したように、アウター４の上端部には、一対のクリップ８，８が筒状の鞘９に隠された状態で設けられている。クリップ８の使用方法については後述する。
【００１２】
図３及び図４に示したように、帯３はその両端部にホック７を有しており、ホック７をアウター４の上端部に設けられたホック受け７ａに連結することにより、帯３をケープ本体２の上端部に着脱自在に取り付けることができる。これにより、図１に示した如く使用者１００の首に帯３を掛け渡すことによりケープ本体２を使用者１００に連結することができる。図２にも示したように、ケープ本体２の下端側には袋２ａがケープ本体の両側端部に亘って形成されており、袋２ａはケープ本体２の上端側に向かって開口している。これにより、図１の使用形態においては、袋２ａを利用して幼児２００の足部を包みこむことができる。
【００１３】
また、袋２ａの縁には紐１０が通され、紐１０の一部が外部に引き出されている。引き出された紐１０には、その長さを調節する調節具１１が設けられており、引き出される紐１０の長さを調節することにより、袋２ａの開口面積を広狭自在に調整できる。引き出された紐１０の先端にはクリップ１２が取り付けられており、このクリップ１２にて装着対象の適宜の箇所を挟むことにより、ケープ本体２のより強固な連結が可能となる。
【００１４】
図５〜図８はケープ１の他の使用形態を示したものである。図５は、使用者１００により子守帯１０１を介しておんぶされた幼児２００がケープ１にて覆われた状態を示している。この使用形態においては、帯３を２本用意し（図５では１本のみ示されている）、それぞれの帯３の一端をケープ本体２にホック７を介して取り付けるとともに、他端をクリップ８で挟むことにより、帯３にて二つの輪を形成する（図２、３を参照）。そして、これらの輪を使用者１００の両肩に掛け渡すことにより、ケープ本体２を装着対象としての使用者１００に連結することができる。この場合、帯３の一端をケープ本体２に取り付けた状態で使用者１００の両肩に掛け渡し、その後、帯３の他端をクリップ８で挟むことにより使用者１００にケープ本体２を連結してもよい。
【００１５】
図６は、子守帯１０１を介して使用者により横向きに抱っこされた幼児２００がケープ１にて覆われた状態を示している。この使用形態においては、ケープ本体２に取り付けた帯３を図１の場合よりも長めに調節し、図７に示した如く帯３をたすき掛けすることにより、ケープ本体２を使用者１００に連結することができる。
【００１６】
図８は、乳母車１０２にケープ１を装着した使用形態を示している。この使用形態においては、乳母車１０２の背部１０２ａの背面側に帯３を掛け渡すとともに、乳母車１０２の前端部１０２ｂを袋２ａ（図２）にて包みこむことにより、ケープ本体２を装着対象としての乳母車１０２に連結することができる。
【００１７】
以上本発明の幼児用ケープについて、上述した実施形態に基づいて説明したが、本発明はこれに限定されず、種々の形態にて実施してもよい。例えば、インナー３をアウター４に取り付けるための連結手段としては、上述したホック５、ホック受け５ａ、ファスナー６、ファスナー受け６ａに限定されることはなく、ボタン、ボタンホール、面ファスナー等の種々の連結手段を用いてもよい。また、帯３の本体への取り付けについてもホック７、ホック受け７ａの他、これらの種々連結手段を用いてもよい。
【図面の簡単な説明】
【００１８】
【図１】本発明の幼児用ケープの使用形態の一例を示した図。
【図２】ケープ本体の裏面側を示した平面図。
【図３】本発明の幼児用ケープの分解斜視図。
【図４】本発明に係る帯の詳細図。
【図５】使用者により子守帯を介しておんぶされた幼児がケープにて覆われた状態を示した図。
【図６】子守帯を介して使用者により横向きに抱っこされた幼児がケープにて覆われた状態を示した図。
【図７】図６の背面側を示した図。
【図８】乳母車にケープを装着した使用形態を示した図。
【符号の説明】
【００１９】
１  ケープ
２  ケープ本体
２ａ  袋
３  帯
１００  使用者（装着対象）
１０２  乳母車（装着対象）
【図１】
2006068251.tif 000003
【図２】
2006068251.tif 000004
【図３】
2006068251.tif 000005
【図４】
2006068251.tif 000006
【図５】
2006068251.tif 000007
【図６】
2006068251.tif 000008
【図７】
2006068251.tif 000009
【図８】
2006068251.tif 000010
【手続補正書】
【提出日】平成16年9月2日(2004.9.2)
【手続補正１】
【補正対象書類名】図面
【補正対象項目名】全図
【補正方法】変更
【補正の内容】
【図１】
2006068251.tif 000011
【図２】
2006068251.tif 000012
【図３】
2006068251.tif 000013
【図４】
2006068251.tif 000014
【図５】
2006068251.tif 000015
【図６】
2006068251.tif 000016
【図７】
2006068251.tif 000017
【図８】
2006068251.tif 000018